【手続補正書】
【提出日】平成17年10月5日(2005.10.5)
【手続補正１】
【補正対象書類名】明細書
【補正対象項目名】特許請求の範囲
【補正方法】変更
【補正の内容】
【特許請求の範囲】
【請求項１】
コンテンツの再生または利用を行なうコンテンツ利用デバイスとしての情報処理装置であり、
コンテンツの利用権情報としての権利情報を格納したライセンス格納デバイスとの通信処理、およびコンテンツ配信サーバとの通信処理を実行する通信部と、
前記通信処理における認証処理を含む暗号処理を実行する暗号処理部と、
前記通信部を介してライセンス格納デバイスからコンテンツ対応の権利情報を入力するとともに、該入力権利情報をコンテンツ配信サーバに対して送信し、該送信権利情報に対応して設定されたコンテンツを、該コンテンツ配信サーバから受信し再生または利用する処理制御を実行する制御部と、
を有することを特徴とする情報処理装置。
【請求項２】
前記暗号処理部は、
ライセンス格納デバイスから入力するコンテンツ対応の権利情報に付加された改竄検証値の検証処理を実行する構成を有することを特徴とする請求項１に記載の情報処理装置。
【請求項３】
前記暗号処理部は、
ライセンス格納デバイスとの相互認証を実行し、
前記制御部は、
該相互認証の成立を条件として、前記通信部を介したライセンス格納デバイスからのコンテンツ対応の権利情報の入力処理を実行する構成であることを特徴とする請求項１に記載の情報処理装置。
【請求項４】
前記コンテンツ配信サーバから受信するコンテンツファイルのへッダ情報には、コンテンツの再生時にライセンス格納デバイスとの接続を条件とするか否かを設定したＲＨＤチェックモード情報が含まれ、
前記暗号処理部は、
前記ＲＨＤチェックモード情報が、コンテンツの再生時にライセンス格納デバイスとの接続を条件とするコンテンツ再生処理においては、前記ライセンス格納デバイスとの相互認証処理を実行し、
前記制御部は、前記認証の成立を条件としたコンテンツ再生処理を行なう構成であることを特徴とする請求項１に記載の情報処理装置。
【請求項５】
コンテンツの利用権情報としての権利情報を格納したライセンス格納デバイスとしての情報処理装置であり、
前記権利情報を格納する記憶部と、
コンテンツの再生または利用を行なうコンテンツ利用デバイスとの通信処理を実行する通信部と、
前記通信部を介した通信処理における認証処理を含む暗号処理を実行する暗号処理部と、
コンテンツ利用デバイスとの相互認証の成立を条件として、コンテンツ利用デバイスに対して、前記通信部を介したコンテンツ対応の権利情報の出力処理を実行する制御部と、
を有することを特徴とする情報処理装置。
【請求項６】
前記暗号処理部は、
コンテンツ利用デバイスとの相互認証および鍵共有処理を実行し、
コンテンツ利用デバイスに出力する権利情報に前記鍵共有処理において生成した鍵を適用した改竄検証値を設定する処理を実行する構成を有することを特徴とする請求項５に記載の情報処理装置。
【請求項７】
前記暗号処理部は、
ネットワークを介してライセンスサーバから権利情報を受信するライセンス購入デバイスとの相互認証を実行し、
前記制御部は、
該相互認証の成立を条件として、前記通信部を介したコンテンツ対応の権利情報の入力処理を実行する構成であることを特徴とする請求項５に記載の情報処理装置。
【請求項８】
コンテンツ配信を実行するコンテンツ配信サーバであり、
コンテンツ利用デバイスからのコンテンツ利用要求を受信し、コンテンツを送信する通信部と、
前記通信部を介して、コンテンツ利用デバイスから受信するコンテンツ対応の権利情報の正当性検証処理を含む暗号処理を実行する暗号処理部と、
前記権利情報の検証成立を条件として、コンテンツ利用デバイスに対して、前記通信部を介したコンテンツファイルの出力処理を実行する制御部と、
を有することを特徴とするコンテンツ配信サーバ。
【請求項９】
前記権利情報には、
権利情報の有効性管理情報の識別コードとしての有効情報コードが含まれ、
前記制御部は、
前記有効情報コードに有効情報を対応付けた有効性管理情報テーブルを参照して、前記コンテンツ利用デバイスから受信するコンテンツ対応の権利情報の有効性が確認されたことを条件としてコンテンツファイルの送信処理を実行する構成であることを特徴とする請求項８に記載のコンテンツ配信サーバ。
【請求項１０】
前記暗号処理部は、
コンテンツ利用デバイスとの相互認証および鍵共有処理を実行し、
送信コンテンツファイルに、前記鍵共有処理において生成した鍵を適用して改竄検証値を付加する処理を実行する構成であることを特徴とする請求項８に記載のコンテンツ配信サーバ。
【請求項１１】
前記制御部は、
コンテンツ利用デバイスに送信するコンテンツファイルのへッダ情報に、コンテンツの再生時にライセンス格納デバイスとの接続を条件とするか否かを設定したＲＨＤチェックモード情報が格納する処理を実行する構成であることを特徴とする請求項８に記載のコンテンツ配信サーバ。
【請求項１２】
コンテンツの利用権情報としての権利情報をネットワークを介して送信するライセンスサーバであり、
前記権利情報の要求端末との通信処理を実行する通信部と、
前記通信部を介して送信する権利情報に対する署名生成処理を含む暗号処理を実行する暗号処理部と、
前記要求端末との相互認証の成立を条件として、該権利情報の格納デバイスとしてのライセンス格納デバイスの識別子を格納した権利情報を生成し、該生成権利情報の出力処理を実行する制御部と、
を有することを特徴とするライセンスサーバ。
【請求項１３】
前記暗号処理部は、
前記要求端末との相互認証処理および鍵共有処理を実行し、
前記要求端末に出力する権利情報に、前記鍵共有処理において生成した鍵を適用した改竄検証値を設定する処理を実行する構成を有することを特徴とする請求項１２に記載のライセンスサーバ。
【請求項１４】
コンテンツの再生または利用を行なうコンテンツ利用デバイスと、コンテンツの利用権情報としての権利情報を格納したライセンス格納デバイスと、コンテンツ配信サーバとを有するコンテンツ配信システムであり、
コンテンツ利用デバイスが、ライセンス格納デバイスからコンテンツ対応の権利情報を入力するとともに、該入力権利情報をコンテンツ配信サーバに対して送信し、該送信権利情報に対応して設定されたコンテンツを、該コンテンツ配信サーバから受信し再生または利用する構成を有することを特徴とするコンテンツ配信システム。
【請求項１５】
コンテンツの再生または利用を行なうコンテンツ利用デバイスにおける情報処理方法であり、
通信部を介してライセンス格納デバイスからコンテンツ対応の権利情報を入力する権利情報入力ステップと、
前記権利情報の正当性検証処理を実行するステップと、
前記正当性検証処理において、前記権利情報の正当性が確認されたことを条件として、入力権利情報をコンテンツ配信サーバに対して送信する権利情報送信ステップと、
前記送信権利情報に対応して設定されたコンテンツを、コンテンツ配信サーバから受信するステップと、
を有することを特徴とする情報処理方法。
【請求項１６】
コンテンツの再生または利用を行なうコンテンツ利用デバイスにおける情報処理をコンピュータシステム上で実行するコンピュータ・プログラムであって、
通信部を介してライセンス格納デバイスからコンテンツ対応の権利情報を入力する権利情報入力ステップと、
前記権利情報の正当性検証処理を実行するステップと、
前記正当性検証処理において、前記権利情報の正当性が確認されたことを条件として、入力権利情報をコンテンツ配信サーバに対して送信する権利情報送信ステップと、
前記送信権利情報に対応して設定されたコンテンツを、コンテンツ配信サーバから受信するステップと、
を有することを特徴とするコンピュータ・プログラム。